(57)【要約】【課題】額へのドライフラワー収納容器を別個に作成し何人も簡単にドライフラワーを原色のまま額に収蔵することを可能ならしめる。【解決手段】底部と周壁部を有し、外側面にアルミシートを貼り合わせた容器１１内部にドライフラワーＦを収納して止着保持させ、該容器１１上面に中央に窓部を有する額状枠１５を載置して窓部にガラス板１６を配設し、これら容器１とガラス板１６を配設した額状枠１５とを通常の額内にガラス面側を上部として収納してドライフラワー収蔵額とすると共に、額裏面側を押え板を介し押え具により止着せしめる。【選択図】    図３
0003111285.tif 000002
【実用新案登録請求の範囲】
【請求項１】
底部と周壁部を有し、外側面にアルミシートを貼り合わせた容器の内部にドライフラワーを収納して止着保持させ、該容器上面に中央に窓部を有する額状枠を載置して窓部にガラス板を配設し、これら容器とガラス板を配設した額状枠とを額内にガラス面側を上部として収納する共に、裏面側を押え板を介し押え具により止着せしめてなることを特徴とするドライフラワーを収蔵した観賞用額。
【請求項２】
容器内部に乾燥剤を収納せしめた請求項１記載のドライフラワーを収蔵した鑑賞用額。
【考案の詳細な説明】
【技術分野】
【０００１】
本考案はドライフラワーを原色のまま額に収納し、密封したドライフラワー収蔵の観賞用額構造に関するものである。
【背景技術】
【０００２】
ドライフラワーは日常広く知られ、観賞用を始めとして広く利用されているが、このドライフラワーを原色のまま密封する専用の額はなく、一般には通常用いられている額を利用して、額の外側面にアルミと発泡シートを別々挟み込み、テープやボンドで接着して再度、アルミで全体を包み込むというような手段がとられていた。
【考案の開示】
【考案が解決しようとする課題】
【０００３】
しかし、上記の如く通常の額を利用した手段はその操作が煩雑で、しかも密封するために種々の困難を有していた。そこで、本考案は上記に対処し、改善を図るべく、特に額本体と、密封容器を別々に作成し組み立てることを見出すことにより何人も簡単にドライフラワーを原色のまま額に密封することを可能ならしめ、手芸効果を発揮せしめることを目的とするものである。
【課題を解決するための手段】
【０００４】
即ち、上記目的に適合する本考案の額構成は、基本的に底部と、周壁部よりなり、外側面にアルミシートを貼り合わせた容器の内部に原色のままドライ化したドライフラワーを収納、止着し、該容器上面側に中央に窓部を有する額状枠を載置して、窓部にガラス板を配設し、これらガラス板を配設した額状枠と容器をそのガラス板を表面側として額内に収納し、裏面側を押え板を介して押え具により止着可能ならしめた構成にある。
【０００５】
なお、上記構成において請求項２に記載する如く、底部と、周壁部を有する容器の内部に、乾燥剤を収納せしめることは頗る有効である。
【０００６】
ここで上記容器としては防湿シート、例えばアルミシートを発泡シート，木製，金属製，プラスチック製などの各素材に貼り合わせて形成されたものを用いるのが好適である。
【０００７】
なお、乾燥剤としては、シリカゲル，ゼオライト，活性アルミナ，活性白土などが使用可能であるが、シリカゲルが最も一般的で通常、用いられる。
【考案の効果】
【０００８】
本考案は以上のようにドライフラワーを収蔵せしめた密封容器を額本体とは別個に作成し、これを額本体内に収納せしめるため、鑑賞用の花額を簡単な操作で容易に製作することができると共に、密封容器は、内部に乾燥剤を挿入、充填することが容易で、乾燥状態の保持が長期にわたり可能となり、原色のままドライにされたドライフラワーを長期間にわたりそのまま保持して頗る美麗な鑑賞用花額を得ることができる。しかも、上記密封容器の組み立てや額への取付け製作は手芸操作によって簡単に出来るため、種々の花をドライ化して幅広く原色のまま花額として製作し変化のある鑑賞用花額を得る効果を有する。
【考案を実施するための最良の形態】
【０００９】
以下、更に添付図面を参照し、本考案の具体的な実施形態を説明する。
【００１０】
図１は本考案に係る額構造の表面側、図２は同裏面側であり、図示の如く本考案は脚２を有する額１の表面側に額状枠３の中央窓部にガラス板４を配して内部に収納されたドライフラワーＦが透視されるようになっており、図２の如く裏面側は押え板５を介して回動可能な押え具６により開閉可能な止着となっている。
【００１１】
ここで、上記ドライフラワーＦは額１の内部において別途、収納容器により原色のまま収納された立体のドライフラワーである。そして、額１は額縁と、裏面側の押え板５、押え具６をもつ通常の額であり、上述した表面のガラス板４は後述するドライフラワー収納容器の上面に固定されていて、特に額1の額縁には嵌められていない。
【００１２】
図３は上記額縁１内に収納されるドライフラワー密封容器の1例を示しており、底部と周壁を有して容器形状に形成され、外側面に防湿のためアルミシートが貼り合わされた構成よりなり、該容器１１の内部には図示していないが、内枠がドライフラワーを囲んで配設されていて容器は上面に図示の如く中央部に窓部を有する額状枠１５が載置され、更にその上面に中央窓部を覆ってガラス板１６が載置配設されて全体として密閉容器を構成している。ここで上記ガラス板１６は形成された花額におけるガラス板４となるものであり、また額状枠１５は図１における枠材３である。
【００１３】
上記容器１１の素材としては発泡シート、あるいはダンボール製，木製，金属製，プラスチック製など任意の素材が使用可能であり、アルミシートの如き防湿シートを貼り合わせることによって防湿効果を有するように構成したものが好ましい。また、該容器１１内部にはシリカゲルの如き乾燥剤をシート状又は袋状にして収納せしめることが有効である。
【００１４】
なお、図示していないが容器１１の周壁内部には内枠が配されることもあり、この場合、配される内枠１４は、容器１１内壁との間に適宜の空隙ａを存して設け、この空隙ａ内に乾燥剤、例えばシリカゲル等を収納、充填可能として乾燥剤を保持せしめるようにすることが好ましく、かつ効果的である。
【００１５】
更に、ガラス板１６を額状枠１５を介し容器１１の上面に載置するとき、ガラス板１６と容器１１とをアルミテープの如き防湿シート１３によりいずれも完全に密封されて原色のままドライされたドライフラワーが収蔵される図３に示す如き密封容器１１とするのが好適である。
【００１６】
以上のようにして得られた上記密封容器１１は、これをガラス板１６を上面側として額1内に収めると、表面側は図１に示す状態となり、裏面側を図２の如く押え板５を介し回動可能な押え具６によって止着することにより、本考案額構造が完成する。なお、容器１１自体を当初より気密性のある樹脂で作成しておくと、より簡単となり好適である。
【００１７】
かくして以上のようにドライフラワー収蔵容器を別個に作成することによって容易にドライフラワー収蔵の花額が得られ、また随時、内部の密封容器の取り替えをはかることによって額内のドライフラワーに種々の変化を付与し、より鑑賞の実を挙げることができる。
【図面の簡単な説明】
【００１８】
【図１】本考案に係る額構造の表面側斜視図である。
【図２】同、額構造の裏面側斜視図である。
【図３】額内に収納される密封容器の斜視図である。
【符号の説明】
【００１９】
Ｆ：ドライフラワー
１：額
３、１５：額状枠
４、１６：ガラス板
５：押え板
６：押え具
１１：容器
１３：防湿シート
【図１】
0003111285.tif 000003
【図２】
0003111285.tif 000004
【図３】
0003111285.tif 000005